(57)【要約】【課題】大当たり動作終了後の所定期間は遊技者にとって有利となる優待モードが継続するよう構成されたパチンコ遊技機であって、優待モード終了の契機を不確定なるものとすることにより優待モード中の遊技性を向上させる。【解決手段】始動条件が成立することにより図柄表示装置の表示図柄が変動し、所定時間経過後に変動停止した停止図柄が所定態様を形成した場合に可変入賞装置が遊技者にとって有利な状態に変換され、前記図柄表示装置の表示図柄が変動中に始動条件が成立した場合にはその変動終了後に図柄変動を開始させるためその始動条件の成立を一時記憶する変動保留手段を備え、さらに大当たり動作終了後の所定期間は遊技者にとって有利となる優待モードが継続するよう構成されたパチンコ遊技機であって、前記図柄表示装置の図柄変動が停止し、かつ前記変動保留手段の変動保留記憶が無いことを前記優待モードの終了の契機とする。【選択図】  図１
2004154273.tif 000002
【特許請求の範囲】
【請求項１】
始動条件が成立することにより図柄表示装置の表示図柄が変動し、所定時間経過後に変動停止した停止図柄が所定態様を形成した場合に可変入賞装置が遊技者にとって有利な状態に変換され、前記図柄表示装置の表示図柄が変動中に始動条件が成立した場合にはその変動終了後に図柄変動を開始させるためその始動条件の成立を一時記憶する変動保留手段を備え、さらに大当たり動作終了後の所定期間は遊技者にとって有利となる優待モードが継続するよう構成されたパチンコ遊技機であって、
前記図柄表示装置の図柄変動が停止し、かつ前記変動保留手段の変動保留記憶が無いことを前記優待モードの終了の契機とすることを特徴としたパチンコ遊技機。
【請求項２】
図柄表示装置は普通図柄表示装置であり、その始動条件は遊技盤上に設けられた通過ゲートを遊技球が通過することである請求項１に記載のパチンコ遊技機。
【請求項３】
図柄表示装置は特別図柄表示装置であり、その始動条件は遊技盤上に設けられた可変入賞装置に遊技球が入賞することである請求項１または２に記載のパチンコ遊技機。
【請求項４】
優待モードが終了するまでの時間を表示する表示手段を設けた請求項１〜３に記載のパチンコ遊技機。
【請求項５】
優待モード中に遊技者がその遊技の進行を一時停止することを可能にする停止スイッチを設けた請求項１〜４に記載のパチンコ遊技機。
【発明の詳細な説明】
【０００１】
【発明の属する技術分野】
本発明は、大当たり動作終了後の所定期間は遊技者にとって有利となる優待モードが継続するよう構成されたパチンコ遊技機に関するものである。
【０００２】
【従来の技術】
【特許文献１】
特許第３０３９７６５号公報
【０００３】
遊技盤上に、通過ゲートと、「○」または「×」を点灯表示する一対の発光ダイオードからなる図柄表示装置（以下、普通図柄表示装置という）と、一対の可動翼片がソレノイドの作動により開閉動するチューリップ型の可変入賞装置（以下、始動用可変入賞装置という）と、カラー液晶ディスプレイ等の大型の図柄表示装置（以下、特別図柄表示装置という）と、ソレノイドの作動により横長の開閉扉が開いて遊技球が入賞し得るようにする可変入賞装置（以下、大型可変入賞装置という）が設けられ、遊技球が通過ゲートを通過すると普通図柄表示装置の「○」と「×」とが交互に点滅し「○」が点灯した状態でその点滅が停止すると始動用可変入賞装置が短時間（例えば、０．５秒間）開いて該始動用可変入賞装置に遊技球が入賞し易くなり、該始動用可変入賞装置に遊技球が入賞すると特別図柄表示装置に１〜８の数字および☆◆◎等の記号またはキャラクター等の図柄が夫々上下または左右に流れる如くに複数列（通常は３列）にて変動表示され、その表示の変動は数秒後に順に停止し、その停止図柄が所定の確率（１／３００程度）で偶然性をもって例えば「２２２」，「７７７」，「☆☆☆」のように予め定められた所定図柄となった場合に大当たりが発生し、前記大型可変入賞装置の開閉扉が開成状態となり、その開成状態の可変入賞装置に遊技球が所定個数（通常は１０個）入球するか、または開成状態で所定制限時間（通常は３０秒）が経過すると、いわゆる第１ラウンドが終わって該可変入賞装置は一旦は閉じるが、この第１ラウンド中に該可変入賞装置内に設けられている継続入賞口（Ｖゾーンと称される）に遊技球が入球していた場合には第２ラウンドが始まってすぐにまた該可変入賞装置が開かれ、開成状態となった可変入賞装置にまた遊技球が所定個数（通常は１０個）入球するか、または開成状態で所定制限時間（通常は３０秒）が経過すると、第２ラウンドが終わって該可変入賞装置はまた閉じるが、その第２ラウンド中にまた継続入賞口に遊技球が入球していた場合には第３ラウンドが始まりすぐにまた該可変入賞装置が開かれ、こうして各ラウンド中に継続入賞口に打球が入賞したことを条件として最終ラウンド（例えば第１６ラウンド）になるまで該可変入賞装置が継続的に開かれ、このような大当たり動作により多数の景品球を取得できるように構成されたパチンコ遊技機は周知であって、上記特許文献１等によりその基本構造が開示されている。
【０００４】
また、従来から上記パチンコ遊技機には、上記普通図柄表示装置，特別図柄表示装置等の図柄表示装置の表示図柄が変動中であるときに始動条件が成立した場合にはその変動終了後に図柄変動を開始させるためその始動条件の成立を一時記憶する変動保留手段が設けられている。
【０００５】
また、従来から上記パチンコ遊技機では、例えば「３３３」「５５５」「７７７」等の奇数図柄（以下、特定図柄という）で大当たりした場合に、その大当たり動作の終了後における大当たり発生の確率を例えば通常の１／３００から１／６０に上昇させ（「確変」と称している）たり、前記始動用可変入賞装置の開成時間を通常の０．５秒間から２秒間に延長（「時短」と称している）して始動条件が成立し易くする等の特典が与えられる優待モードとなり、大当たり動作が終了した後も遊技者にとって有利な状況が続くようにしている。
【０００６】
【発明が解決しようとする課題】
ところで、上記従来のパチンコ遊技機における優待モードは、次の大当たりが発生するまでの期間であったり、特別図柄表示装置が所定回数変動するまでの期間であったり、従来では一定期間に決められていたので、優待モードがいつまで継続するかという期待感、或いはいつ優待モードが終わってしまうのかという緊張感がなく、その点で優待モード中の遊技性が十分でないものであった。
そこで本発明は、優待モード中の遊技性を向上させることにより、この種のパチンコ遊技機の興趣を増大しようとするものである。
【０００７】
【課題を解決するための手段】
そのために本発明は、始動条件が成立することにより図柄表示装置の表示図柄が変動し、所定時間経過後に変動停止した停止図柄が所定態様を形成した場合に可変入賞装置が遊技者にとって有利な状態に変換され、前記図柄表示装置の表示図柄が変動中に始動条件が成立した場合にはその変動終了後に図柄変動を開始させるためその始動条件の成立を一時記憶する変動保留手段を備え、さらに大当たり動作終了後の所定期間は遊技者にとって有利となる優待モードが継続するよう構成されたパチンコ遊技機であって、前記図柄表示装置の図柄変動が停止し、かつ前記変動保留手段の変動保留記憶が無いことを前記優待モードの終了の契機とすることを特徴とする。
また本発明は上記パチンコ遊技機において、図柄表示装置は普通図柄表示装置であり、その始動条件は遊技盤上に設けられた通過ゲートを遊技球が通過することであることを特徴とする。
また本発明は上記パチンコ遊技機において、図柄表示装置は特別図柄表示装置であり、その始動条件は遊技盤上に設けられた可変入賞装置に遊技球が入賞することであることを特徴とする。
また本発明は上記パチンコ遊技機において、優待モードが終了するまでの時間を表示する表示手段を設けたことを特徴とする。
また本発明は上記パチンコ遊技機において、優待モード中に遊技者がその遊技の進行を一時停止することを可能にする停止スイッチを設けたことを特徴とする。
【０００８】
【発明の実施の形態】
次に発明の実施形態を図面に従い説明する。図１にこのパチンコ遊技機における遊技盤１の正面を示す。図中、２は普通入賞口、３，３は通過ゲート、４は表面に「○」が表示された発光ダイオードと「×」が表示された発光ダイオードとからなる普通図柄表示装置、５は一対の可動翼片がソレノイドの作動により開閉動するチューリップ型の始動用可変入賞装置、６はカラー液晶ディスプレイからなる特別図柄表示装置、７はソレノイドの作動により横長の開閉扉８が開いて遊技球が入賞し得るようにする大型可変入賞装置である。
【０００９】
また、９は４つの表示ランプからなる上記普通図柄表示装置４の変動保留表示装置で、該変動保留表示装置は普通図柄表示装置４が変動中（点滅中）であるときに通過ゲート３を遊技球が通過することで新たに始動条件が成立した場合に該普通図柄表示装置４がその変動を終了した後にその始動条件成立に基づく図柄変動を開始させるためその始動条件の成立を一時記憶する変動保留手段が設けられ、該変動保留手段の記憶する変動保留数に応じてこの４つの表示ランプを点灯させるものである。従って、この表示ランプが１つだけ点灯しているときは変動保留数が１回であり、２つ点灯しているときは変動保留数が２回であり、３つ点灯しているときは変動保留数が３回である。なお、変動保留数はこの場合４回まで記憶され、４回以上は無効となる。
【００１０】
また、１０は同じく４つの表示ランプからなる特別図柄表示装置６の変動保留表示装置で、該変動保留表示装置は特別図柄表示装置６が図柄変動中であるときに始動用可変入賞装置５に遊技球が入賞することで新たに始動条件が成立した場合に該特別図柄表示装置６がその変動を終了した後にその始動条件成立に基づく図柄変動を開始させるためその始動条件の成立を一時記憶する変動保留手段が設けられ、該変動保留手段の記憶する保留記憶数に応じてこの４つの表示ランプを点灯させるもので、この場合も同様に、表示ランプが１つだけ点灯しているときは変動保留数が１回であり、２つ点灯しているときは変動保留数が２回で、４回以上は無効となる。
【００１１】
図２はＣＰＵ，ＲＯＭ，ＲＡＭ，Ｉ／Ｏからなる遊技制御基板１５に接続される本発明に関連する入出力機器を示したブロック図で、１６は前記普通入賞口２に入賞した遊技球を検出する球センサ、１７，１７は通過ゲート３，３を通過した遊技球を検出する球センサ、１８は始動用可変入賞装置５に入賞した遊技球を検出する球センサ、１９は大型可変入賞装置７に入賞した遊技球を検出する球センサである。なお、２２は遊技者が任意に操作し得るようにパチンコ遊技機の前面に設けた停止スイッチである。また、該遊技制御基板にはさらに前記普通図柄表示装置４、変動保留表示装置９，１０、始動用可変入賞装置５を開閉動させるソレノイド２０、特別図柄表示装置６、大型可変入賞装置７の開閉扉８を開閉動させるソレノイド２１等が接続される。そしてこれらにより該遊技制御基板１５は図柄変動表示機能，大当たり判定機能，大当たり動作制御機能等を具備する。
【００１２】
このため、通過ゲート３，３を通過した遊技球が球センサ１７，１７により検知されると、普通図柄表示装置４の「○」と「×」が表示された発光ダイオードが交互に点滅し数秒後に「○」または「×」が点灯した状態で停止し、「○」が点灯した状態で停止すると、ソレノイド２０の作動により始動用可変入賞装置５が０．５秒間だけ開いて閉じ、「×」が点灯した状態で停止すると始動用可変入賞装置５は全く開かない。そして該始動用可変入賞装置５が０．５秒間だけ開いたときに該始動用可変入賞装置に遊技球が入賞すると、特別図柄表示装置６に１〜８の数字および☆◆◎等の記号またはキャラクター等の図柄が複数列にて変動表示され、その表示の変動は数秒後に停止し、その停止図柄が「２２２」「７７７」「☆☆☆」等の所定態様を形成した場合に大当たりが発生し、ソレノイド２１の作動により大型可変入賞装置７の開閉扉８が継続的に開かれ、いわゆる大当たり動作をすることにより多数の遊技球が該大型可変入賞装置７内に入賞し得るようになり、多数の賞球を獲得できる。
【００１３】
そして、上記大当たり動作が終った後は、上記停止図柄が「３３３」「５５５」「７７７」等の奇数にて揃っていた場合、或いはこうしたことを条件とすることなく常に優待モードに移行する。この優待モードは、大当たり動作の終了後における大当たり発生の確率を例えば通常の１／３００から１／６０に上昇させ（以下「確変」という）たり、始動用可変入賞装置５の開成時間を通常の０．５秒間から２秒間に延長（以下「時短」という）して始動条件が成立し易くする等の特典を遊技者に与えるものである。
【００１４】
また、通過ゲート３，３を遊技球が通過すると、図３のフローチャートに示したように、変動保留手段に始動条件の成立が変動保留数として記憶される。また、図４のフローチャートは記憶された変動保留数に基づいて普通図柄表示装置４を作動させるルーチンを示す。同図中、ステップａでは停止スイッチ２２が０ＦＦされていることが確認され、ステップｂにて変動保留記憶の有無が判別され、変動保留がある場合はステップｃで普通図柄表示装置４が変動開始（「○」「×」の交互点滅）し、ステップｄで変動保留数を−１し、ステップｅにて所定の変動時間の経過が待たれ、ステップｆでその変動が停止され、ステップｇでその変動停止時間が待たれ、ステップｈでまた変動保留記憶の有無が判別され、変動保留記憶が有った場合はそのままリターンし、変動保留記憶が無かった場合はステップｉにて上記優待モードが終了処理され、「確変」および「時短」が無くなる。
これによって上記優待モードを終わらせる契機を、普通図柄表示装置４の図柄変動が停止し、かつ前記変動保留手段の変動保留記憶が無いこととすることができる。
【００１５】
このため遊技者は、優待モードがなるべく長く継続するように、常に変動保留表示装置９の表示ランプの点灯状況を確認し図柄の変動が途切れることのないように通過ゲート３，３を遊技球が絶え間なく通過さるべく打球を発射させることで、有利な状況が続けられるようにする。
【００１６】
一方、図５，図６に示したフローチャートは、優待モードを終わらせる契機を、特別図柄表示装置６の図柄変動が停止し、かつ前記変動保留手段の変動保留記憶が無いこととするものである。この場合、図５に示したように始動用可変入賞装置５への遊技球の入賞が変動保留手段に一時記憶され、その変動保留記憶がある場合に図６に示したステップｃで特別図柄表示装置６に１〜８の数字および☆◆◎等の記号またはキャラクター等の図柄が夫々上下または左右に流れる如くに３列にて変動開始され、ステップｆでその変動が停止され、ステップｈでまた変動保留記憶の有無が判別され、変動保留記憶が有った場合はそのままリターンし、変動保留記憶が無かった場合はステップｉにて上記優待モードが終了処理され、上記「確変」および「時短」等が無くなる。このように優待モードを終わらせる契機を、特別図柄表示装置６の図柄変動が停止し、かつその変動保留手段の変動保留記憶が無いこととすることもできる。この場合も同様に、遊技者は優待モードをなるべく長く継続させるべく始動用可変入賞装置５に遊技球を絶え間なく入賞させるように努力する。
【００１７】
なお、優待モードが終了するまでの時間は、変動保留表示装置９または変動保留表示装置１０によって知ることもできるが、図１に示したように特別図柄表示装置６の一部、或いはその他の表示装置に残り時間として秒単位等で表示されるようにしてもよい。
【００１８】
また、前記停止スイッチ２２は遊技者が遊技を一時中断する必要が生じた場合に遊技者にとって不利とならないように設けられたものである。なお、遊技を復帰させるには該停止スイッチ２２を再度操作するか、或いは打球を打ち始めることで自動的に復帰するように構成することもできる。
【００１９】
また、この実施形態では「○」「×」が交互点滅する形態の普通図柄表示装置について説明したが、従来からある７セグメント表示装置のように数字を変動表示しその停止数字の如何によって始動用可変入賞装置５を開閉作動させる形態のものにも適用できることは言うまでもない。
【００２０】
【発明の効果】
このように本発明は、大当たり動作終了後の所定期間は遊技者にとって有利となる優待モードが継続するよう構成されたパチンコ遊技機であって、図柄表示装置の図柄変動が停止し、かつ変動保留手段の変動保留記憶が無いことを優待モードの終了の契機とするようにしたので、従来のように優待モード終了の時期が予め決められていたものと異なり、優待モード中、常に期待と緊張感のある高い遊技性をもって遊技が進行され、この種のパチンコ遊技特有の興趣を増大させる効果がある。
【図面の簡単な説明】
【図１】本発明に係るパチンコ遊技機の遊技盤の実施形態を示す正面図。
【図２】本発明に係るパチンコ遊技機の実施形態を示すブロック図。
【図３】本発明の実施形態を示すパチンコ遊技機のフローチャート。
【図４】本発明の実施形態を示すパチンコ遊技機のフローチャート。
【図５】本発明の実施形態を示すパチンコ遊技機のフローチャート。
【図６】本発明の実施形態を示すパチンコ遊技機のフローチャート。
【符号の説明】
１      遊技盤
３      通過ゲート
４      普通図柄表示装置
５      始動用可変入賞装置
６      特別図柄表示装置
７      大型可変入賞装置
８      開閉扉
９      変動保留表示装置
１０    変動保留表示装置
２２    停止スイッチ
【図１】
2004154273.tif 000003
【図２】
2004154273.tif 000004
【図３】
2004154273.tif 000005
【図４】
2004154273.tif 000006
【図５】
2004154273.tif 000007
【図６】
2004154273.tif 000008